(57)【要約】      （修正有）【課題】防虫シートを収納する容器であり、他の薬剤を共に収納することができ、しかも簡単な操作で防虫シートの装着，固定が可能であり、容易な取り外しも可能である防虫シート用容器を提供する。【解決手段】頂面に薬剤収納凹部４を凹設するとともに、防虫剤の揮散用窓孔５を穿設した頂板２と、頂板両側縁からそれそれ垂設した一対の側壁板３と、両側壁板間に吊設して防虫シートＡを載置する底板６とを備え、頂板の前後端部に頂板上方にアーチ状に突出して設けるとともに、弾性的に下方に反転させて挿入した防虫シートの抜け出しを防止する反転板10を設けた。【選択図】図１
2008056267.tif 000002
【特許請求の範囲】
【請求項１】
頂面に薬剤収納凹部４を凹設するとともに、防虫剤の揮散用窓孔５を穿設した頂板２と、頂板２両側縁からそれぞれ垂設した一対の側壁板３と、両側壁板３間に吊設して防虫シートＡを載置する底板６とを備え、頂板２の前後端部又は前後いずれか一方の端部に頂板２上方にアーチ状に突出して設けるとともに、弾性的に下方に反転させて挿入した防虫シートＡの抜け出しを防止する反転板10を設けたことを特徴とする防虫シート用容器。
【請求項２】
前記底板６を薬剤収納凹部４の前後に一対吊設し、収納した防虫シートＡ上面に当接する係止突起８を頂板２裏面より突設してなる請求項１記載の防虫シート用容器。
【発明の詳細な説明】
【技術分野】
【０００１】
本発明は防虫シート用容器に関する。
【背景技術】
【０００２】
防虫シートを収納する容器として、成形性に優れるとともに使用済み容器の廃棄処理に問題がない孔を有する容器が提案されている。（例えば、特許文献１参照）
【０００３】
上記容器は紙と熱可塑性樹脂からなる積層体を、熱可塑性樹脂が内面側となるように成形された孔を有する膨出部形態の成形部と平坦な縁部とを備えた成形紙容器二個を使用して、内部に常温揮散性の防虫剤等を含有する防虫シートとインジケータを収納した状態で、成形部がそれぞれ外側を向くように平坦な縁部同士を重ね合わせ、接着部にて２個の成形紙容器を接着して固定した構成である。或いは、一個の孔を有する成形紙容器の内部に常温揮散性の防虫剤等を含有する防虫シートとインジケータを収納し、その開口周縁部に板状の蓋材の周縁部を接着して封止した構成である。
【特許文献１】特開２００３−１２８１１９号公報
【発明の開示】
【発明が解決しようとする課題】
【０００４】
この様な容器は、防虫効果を低下させることがなく、且つ、常温揮散性の防虫剤成分を容器の孔を通して効果的に周囲に揮散させることができる優れたものであるが、複数部材は接着一体化されているため、容器は使い捨てとなり、防虫シートの交換は基本的に不可能である。
【０００５】
本発明は上記した点に鑑みてなされたもので、合成樹脂により一体に形成することができて安価に且つ容易に製造することができ、しかも、簡単な操作で防虫シートの装着，固定が可能であり、また、容易な取り外しも可能であるため防虫シートの交換も可能であり、更に防虫剤以外の他の薬剤も収納できるため防虫効果とその他の薬剤の効果とを同時に発揮できる防虫シート用容器を提案する。
【課題を解決するための手段】
【０００６】
本発明の防虫シート用容器は、シート状に形成された防虫剤である所謂防虫シートを収納するためのものであり、また、同時に他の薬剤を収納使用できるものであり、合成樹脂により一体に形成される。収納される防虫シートは、例えば基材シートに揮散性の防虫剤を含浸させた如き従来公知のものが使用できる。また、他の薬剤も従来から使用されている固形状のものが使用できる。
【０００７】
防虫シート用容器は、頂板の両側縁からそれぞれ一対の側壁板を垂設して起立可能に形成しており、また、頂壁頂面を下方へ凹ませて形成した薬剤収納凹部を設けている。薬剤収納凹部には防虫剤以外の薬剤を収納し、その頂面を被覆してガス透過性のフィルムや通気孔を穿設したフィルムを固着する。また、フィルムに代えて、薬剤収納凹部側方の頂板縁部にヒンジを介して開閉可能に蓋板を設け、蓋板先端の係止フックを他側方の頂板縁部に係止可能に設けても良い。この場合の蓋板にも通気孔を穿設する。薬剤収納凹部の開口面積は適宜選択できるが、頂板に防虫シートの防虫剤を揮散させるための揮散用窓孔を設ける必要があり、頂面全体の１０〜３０％程度が妥当であろうと思われるが、当然これに限られない。また、薬剤収納凹部は一箇所設ける場合に限らず複数箇所設けることも可能である。
【０００８】
防虫剤の揮散用窓孔は単数設けても複数設けても良い。また、頂板全体の面積に対する窓孔の面積の占める割合が比較的大きいことが好ましいが、収納した防虫シートを安定して支持する為の係止突起を垂設するための横桟を設けて複数の窓孔とすると良い。
【０００９】
また、両側壁板間には防虫シートを載置する底板を吊設している。底板は頂板と略同じ大きさに形成しても良いが、防虫シートの揮散効率を考慮した場合に前後幅の狭い前後一対の底板とすると良く、薬剤収納凹部の前後に一対設けると良い。また、前記面積の広い場合には薬剤収納凹部の底面との間に防虫シートを挿入するだけの隙間を設ける必要があり、その隙間は比較的防虫シートの厚みに近似する幅を選択すると良く、防虫シートが容易に挿通できるがガタツキが生じることのない幅を選択すると良い。また、底板の幅は収納する防虫シートに対応させて近似の幅とすると良い。
【００１０】
また、防虫シートの抜け出しを防止する反転板を設けている。この反転板は頂板の前端部或いは後端部或いは前後両端部に設けており、頂板上方にアーチ状に突出して設け、弾性的に下方に反転させて防虫シート用容器の挿入口を、防虫シートの抜け出しができない様に塞ぐ。反転板は、頂板縁部に切欠部を設けて両側壁板を突設し、その上縁間にそれぞれヒンジを介して掛け渡した形態が好ましく採用できる。尚、反転板を前端部或いは後端部のみに設けた場合には、対向する頂板端部より下方へ垂壁を設けて防虫シートの抜け出しを防止すると良い。
【００１１】
第１の手段として、以下の通り構成した。即ち、頂面に薬剤収納凹部４を凹設するとともに、防虫剤の揮散用窓孔５を穿設した頂板２と、頂板２両側縁からそれぞれ垂設した一対の側壁板３と、両側壁板３間に吊設して防虫シートＡを載置する底板６とを備え、頂板２の前後端部又は前後何れか一方の端部に頂板２上方にアーチ状に突出して設けるとともに、弾性的に下方に反転させて挿入した防虫シートＡの抜け出しを防止する反転板10を設けた。
【００１２】
第２の手段として、以下の通り構成した。即ち、前記第１の手段に於いて、前記底板６を薬剤収納凹部４の前後に一対吊設し、収納した防虫シートＡ上面に当接する係止突起８を頂板２裏面より突設した。
【発明の効果】
【００１３】
以上説明した如く本発明の防虫シート用容器は、挿入口より防虫シートＡを挿入して反転板10を押圧反転するだけで防虫シートＡを装着することができ、機械でのシート装着作業であっても複雑な機械を必要とせず、また、手での装着作業であっても簡単な操作で防虫シートＡの取り付けが行えるため取り扱いが便利である。また、合成樹脂により一体に成型できるため、製造も容易でしかも安価に得られる利点もある。更に、薬剤収納凹部４を備えているため、同時に他の薬剤を使用でき、防虫効果と他の薬剤の効果を同時に発揮できる利点がある。
【００１４】
前記底板６を薬剤収納凹部４の前後に一対吊設し、収納した防虫シートＡ上面に当接する係止突起８を頂板２裏面より突設した場合には、防虫シートＡを所定の位置にガタツキなく収納できる利点がある。
【発明を実施するための最良の形態】
【００１５】
以下、本発明の実施例の形態を図面を参照して説明する。
【００１６】
図１乃至図５は防虫シート用容器の一例を示し、図中１は防虫シート用容器を示す。該防虫シート用容器１は、全体が合成樹脂により一体に形成されたもので、矩形状の頂板２の両側縁より下方へそれぞれ側壁板３を垂設している。頂板２の中央部には横長矩形状の薬剤収納凹部４を凹設しており、それと並列する如く所定間隔をあけて前後に２箇所ずつ揮散用窓孔５を穿設している。
【００１７】
また、両側壁板３の間で、薬剤収納凹部４の前後に一対の底板６を吊設している。底板６は上面が薬剤収納凹部４の底面と防虫シートＡの肉厚分だけ低く形成し、頂板２から垂設した一対の吊下壁７の下端間にそれぞれ延設し、防虫シートＡを常時所定位置に収納できる如く構成している。揮散用窓孔５間の頂板２裏面及び揮散用窓孔５と薬剤収納凹部４との間の頂板２裏面からは係止突起８を突設している。係止突起８はそれぞれ一対ずつ垂設しており、収納した防虫シートＡの上面に下面を当接する程度の垂下幅を有している。また、頂板２の前後端縁を所定幅切り欠いた切欠部９を前後端縁に設けており、この切欠部９部分の側壁板３上端間に反転板10をアーチ状に掛け渡している。反転板10の両側はヒンジ11を介してそれぞれ側壁板３上端縁と連結している。反転板10は成形時には図１の二点鎖線で示す如く頂板２上方に突出する如く設けられており、上面を押圧することで反転して収納した防虫シートＡの抜け出しを防止する如く構成している。
【００１８】
防虫シート用容器１に防虫シートＡを装着する場合には、前部の反転板10が上方突出状態で後方の反転板10を下方突出状態としておき、その状態から前方より防虫シートＡを挿入した後前方の反転板10を押圧して下方へ反転させ収納させる。また、防虫シートＡを取り外す場合には、例えば図１の状態から反転板10を上方に反転させて防虫シートを引き出すことができる。また、薬剤収納凹部４に他の薬剤12を収納後、薬剤収納凹部４周囲の頂板２に周縁部を融着してカバーシート13を被覆する。カバーシート13はガス透過性のフィルムを使用している。
【００１９】
防虫シート用容器１は工場で機械的に防虫シートＡを装着し、使用後はそのまま廃棄するタイプとして使用することもでき、また、一定期間使用後、防虫シートＡを交換用のものと取り替えて使用することも可能である。
【図面の簡単な説明】
【００２０】
【図１】本発明防虫シート用容器の斜視図である。（実施例１）
【図２】図１のＸ−Ｘ線に沿う縦断面図である。（実施例１）
【図３】図１のＹ−Ｙ線に沿う縦断面図である。（実施例１）
【図４】本発明防虫シート用容器の正面図である。（実施例１）
【図５】図１のＺ−Ｚ線に沿う縦断面図である。（実施例１）
【符号の説明】
【００２１】
１…防虫シート用容器，２…頂板，３…側壁板，４…薬剤収納凹部，
５…揮散用窓孔，６…底板，７…吊下壁，８…係止突起，９…切欠部，
10…反転板，11…ヒンジ，12…他の薬剤，13…カバーシート，Ａ…防虫シート
【図１】
2008056267.tif 000003
【図２】
2008056267.tif 000004
【図３】
2008056267.tif 000005
【図４】
2008056267.tif 000006
【図５】
2008056267.tif 000007